(57)【要約】      （修正有）【課題】電線を屈曲状態で収納させることについて作業性の低下を抑制することが可能な屈曲プロテクタを提供する。【解決手段】屈曲プロテクタ１は、第１電線Ｗ１を屈曲状態で保持するものであって、電線入口部１０と電線出口部２０と屈曲保持部３０とを備えている。電線入口部１０と電線出口部２０とは同側に設けられており、屈曲保持部３０は、これらと他側に設けられている。屈曲保持部３０は、電線入口部１０に沿って形成される第１壁３１と、電線出口部２０に沿って形成される第２壁３２と、第１壁３１と第２壁３２とが下方向に延出されることで形成されるポケット部３４と、を有する。ポケット部３４は、内部空間に第１壁３１と第２壁３２との間の距離よりも長い距離を有した部位を有している。【選択図】図３
2019213363.tif 000002
【特許請求の範囲】
【請求項１】
電線を屈曲状態で保持する屈曲プロテクタであって、
一側に設けられ電線の入口側となる電線入口部と、
前記電線入口部と同側に設けられ電線の出口側となる電線出口部と、
前記一側の反対側となる他側に設けられ、前記電線入口部から導入され前記電線出口部から導出される電線を屈曲状態で保持する屈曲保持部と、を備え、
前記屈曲保持部は、前記電線入口部に沿って形成される第１壁と、前記電線出口部に沿って形成される第２壁と、前記第１壁と前記第２壁とが前記一側から他側に向かう方向と交差する方向に延出されることで形成されるポケット部と、を有し、
前記ポケット部は、前記第１壁と前記第２壁との間の距離よりも長い距離を有した部位を内部空間に備えている
ことを特徴とする屈曲プロテクタ。
【請求項２】
前記ポケット部は、平面視して略Ｕ字形状となっている
ことを特徴とする請求項１に記載の屈曲プロテクタ。
【請求項３】
前記第２壁は、前記電線入口部の高さ位置に対して屈曲保持される対象となる電線の直径を加算した高さ以下に切り欠かれた切欠部を有する
ことを特徴とする請求項２に記載の屈曲プロテクタ。
【発明の詳細な説明】
【技術分野】
【０００１】
本発明は、屈曲プロテクタに関する。
【背景技術】
【０００２】
従来、電線はその配索方向が限定される場面が多々あり、例えば１８０度近く屈曲させなければならないこともある。このような要求に応えるために、電線を屈曲状態で保持することを可能とした屈曲プロテクタが提案されている（特許文献１，２参照）。
【先行技術文献】
【特許文献】
【０００３】
【特許文献１】特開２０００−２０９７３２号公報
【特許文献２】特開２００５−２９５６０７号公報
【発明の概要】
【発明が解決しようとする課題】
【０００４】
しかし、屈曲状態で電線を保持する場合において保持する対象の電線の太さによっては屈曲させることが極めて困難な場合もあり、このような場合には、電線を屈曲状態で屈曲プロテクタ内に収納させることについて作業性の低下を招いていた。
【０００５】
本発明は、このような問題を解決するためになされたものであり、その目的とするところは、電線を屈曲状態で収納させることについて作業性の低下を抑制することが可能な屈曲プロテクタを提供することにある。
【課題を解決するための手段】
【０００６】
本発明に係る屈曲プロテクタは、電線を屈曲状態で保持するものである。屈曲プロテクタは、電線入口部と電線出口部と屈曲保持部とを備えている。電線入口部と電線出口部とは同側に設けられており、屈曲保持部は、これらと反対側の他側に設けられている。屈曲保持部は、電線入口部に沿って形成される第１壁と、電線出口部に沿って形成される第２壁と、第１壁と第２壁とが一側から他側に向かう方向と交差する方向に延出されることで形成されるポケット部と、を有し、ポケット部は、第１壁と第２壁との間の距離よりも長い距離を有した部位を内部空間に備えている。
【発明の効果】
【０００７】
本発明によれば、ポケット部は内部空間に第１壁と第２壁との間の距離よりも長い距離を有した部位を備えているため、電線入口部から導入された電線は第１壁と第２壁との間の狭い空間で屈曲させる必要がなく、ポケット部における内部空間において緩やかに屈曲させることが可能となる。よって、過度な屈曲を行う必要がなく電線の屈曲収納を比較的容易に行えることから、電線を屈曲状態で収納させることについて作業性の低下を抑制することができる。
【図面の簡単な説明】
【０００８】
【図１】本実施形態に係る屈曲プロテクタを示す第１斜視図である。
【図２】本実施形態に係る屈曲プロテクタを示す第２斜視図である。
【図３】本実施形態に係る屈曲プロテクタを示す第１側面図である。
【図４】本実施形態に係る屈曲プロテクタを示す第２側面図である。
【発明を実施するための形態】
【０００９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００１０】
図１は、本実施形態に係る屈曲プロテクタを示す第１斜視図であり、図２は、本実施形態に係る屈曲プロテクタを示す第２斜視図である。図３は、本実施形態に係る屈曲プロテクタを示す第１側面図であり、図４は、本実施形態に係る屈曲プロテクタを示す第２側面図である。
【００１１】
図１〜図４に示す屈曲プロテクタ１は、電線を収納した状態で例えば車両の車体から突出したブラケットに対して取り付けられるものである。本実施形態において屈曲プロテクタ１は、バッテリのマイナス端子に接続される第１電線Ｗ１（屈曲保持される対象となる電線：図１、図３及び図４参照）と、プラス端子に接続される第２電線Ｗ２（図３及び図４参照）とを収納するものとなっている。このような屈曲プロテクタ１は、図１に示すように第１電線Ｗ１を屈曲状態で保持し、図３及び図４に示すように第２電線Ｗ２を略直線状態で保持する電線収納構造をなす。
【００１２】
屈曲プロテクタ１は、電線入口部１０と、電線出口部２０と、屈曲保持部３０とを備えている。
【００１３】
電線入口部１０は、屈曲プロテクタ１の一側に設けられ、第１電線Ｗ１及び第２電線Ｗ２の入口側となる部位である。この電線入口部１０は、第１電線Ｗ１が載置される平板部１１と、平板部１１から略垂直方向に延びる立面部１２とを備え、概略Ｌ字形状の板材となっている。なお、本実施形態において第２電線Ｗ２は、平板部１１のスペースの関係上、第１電線Ｗ１上に載置されることを想定している（図３及び図４参照）。しかし、これに限らず、平板部１１は、第１電線Ｗ１のみならず第２電線Ｗ２についても載置可能なスペースを有していてもよい。
【００１４】
図１及び図２に示すように、平板部１１には２つの開口部１１ａが形成されている。２つの開口部１１ａには結束バンド（図示せず）が挿通されるようになっており、平板部１１に載置された第１電線Ｗ１及び第１電線Ｗ１上の第２電線Ｗ２を結束バンドによって電線入口部１０に固定できる構造となっている。
【００１５】
電線出口部２０は、電線入口部１０と同側（すなわち一側）に設けられ、第１電線Ｗ１の出口側となる部位である。この電線出口部２０についても電線入口部１０と同様に、第１電線Ｗ１が載置される平板部２１と、平板部２１から略垂直方向に延びる立面部２２とを備え、概略Ｌ字形状となっている。
【００１６】
また、図２に示すように、平板部２１には結束バンドを通すための２つの開口部２１ａが形成されており、平板部２１に載置された第１電線Ｗ１を結束バンドによって電線出口部２０に固定できるようになっている。
【００１７】
さらに、本実施形態において立面部２２は、ロック部２２ａを備えている。ロック部２２ａは高さ方向に延びる略四角筒状の筒部２２ｂと、筒部２２ｂ内に設けられるロックアーム２２ｃとを備えている。ここで、車体等から延びるブラケットは、開口を有しており筒部２２ｂに挿入されると共に、挿入後にロックアーム２２ｃが開口に嵌まり込むことでロックされた状態となる。これにより、屈曲プロテクタ１は、車体側に固定状態で取り付けられることとなる。なお、ロック部２２ａは電線出口部２０に設けられる場合に限らず、電線入口部１０や屈曲保持部３０等の他の箇所に設けられていてもよい。
【００１８】
さらに、図３に示すように、電線出口部２０は、電線入口部１０に対して高さ方向における位置が異なっており段差を形成している。この段差距離ＳＤは、例えば屈曲保持される対象となる第１電線Ｗ１の直径Ｄ以下となっており、電線出口部２０は電線入口部１０に対して略同一高さとなっている。なお、段差距離ＳＤは第１電線Ｗ１の直径Ｄ以下に限らず、直径Ｄを超えるものであってもよい。
【００１９】
屈曲保持部３０は、電線入口部１０や電線出口部２０が設けられる一側と反対側となる他側に設けられ、図１に示すように電線入口部１０から導入され電線出口部２０から導出される第１電線Ｗ１を屈曲状態で保持するものである。この屈曲保持部３０は、第１壁３１と、第２壁３２とを備えている。第１壁３１は、電線入口部１０に沿って形成されており、より詳細には電線入口部１０の立面部１２から他側に延出されるようにして形成されている。第２壁３２は、電線出口部２０に沿って形成されており、第１壁３１と同様に電線出口部２０の立面部２２から他側に延出されるようにして形成されている。
【００２０】
また、屈曲保持部３０は、屈曲最奥壁３３を備えている。屈曲最奥壁３３は、第１壁３１と第２壁３２とを他側において接続する壁である。本実施形態において屈曲最奥壁３３は、図２に示すように略階段状に形成されており、他側端部に設けられる第１屈曲最奥壁３３ａと、第１屈曲最奥壁３３ａよりも一側且つ下側に設けられる第２屈曲最奥壁３３ｂと、第１屈曲最奥壁３３ａと第２屈曲最奥壁３３ｂとを接続する段部３３ｃとを備えている。本実施形態において第２屈曲最奥壁３３ｂは、その長さＬ３が屈曲対象となる第１電線Ｗ１の直径Ｄ以上とされている。なお、長さＬ３は、第２屈曲最奥壁３３ｂ上の第１壁３１から第２壁３２に至るまでの最短距離である。
【００２１】
さらに、屈曲保持部３０は、ポケット部３４を備えている。ポケット部３４は、図１、図３及び図４に示すように、第１壁３１と第２壁３２とが下方向（一側から他側に向かう方向と交差する方向の一例）に延出されることで形成された部位である。このポケット部３４は、図２に示すように、第１壁３１と第２壁３２との間の距離（例えば図２に示す符号Ｌ１）よりも長い距離Ｌ２を有した部位を内部空間ＩＳに備えている。本実施形態において第１壁３１と第２壁３２との間の距離Ｌ１とは、一側から他側に向かう方向及び高さ方向を含む平面に直交する方向の距離である。また、距離Ｌ２を有した部位とは、電線入口部１０又は電線出口部２０の他側端部から第２屈曲最奥壁３３ｂまでの部位であって、本実施形態では一側から他側へ向かう方向に延びるものとなっている。
【００２２】
また、ポケット部３４は、図４に示すように、平面視した場合に略Ｕ字形状となっている。ここでいう平面視とは、一側から他側に向かう方向と、後述する屈曲凸方向（本実施形態では高さ方向）とを含む平面を正面視した場合をいう。
【００２３】
加えて、屈曲保持部３０の第２壁３２は切欠部３５を有している。切欠部３５は、第１壁３１の上端位置よりも低くなるように、下方向に向けて切り欠かれて形成された部位である。この切欠部３５は電線入口部１０に対して第１電線Ｗ１の直径Ｄを加算した高さ以下（符号Ｌ４参照）となるように切り欠かれて形成されている。
【００２４】
次に、図１〜図４を参照して、本実施形態に係る屈曲プロテクタ１における電線Ｗ１，Ｗ２の収納の様子を説明する。
【００２５】
まず、作業者は、第１電線Ｗ１を電線入口部１０に載置する。次いで、作業者は、第１電線Ｗ１をポケット部３４に向けて押し込むように屈曲させる。この結果、第１電線Ｗ１は、図１に示すように下に凸となる屈曲状態とさせられる。
【００２６】
ここで、ポケット部３４は、第１壁３１と第２壁３２との間の距離Ｌ１よりも長い距離Ｌ２を有した部位を内部空間ＩＳに備えている。このため、作業者は、第１壁３１と第２壁３２との間の距離Ｌ１で第１電線Ｗ１を１８０度近く屈曲させる場合よりも、ポケット部３４の距離Ｌ２を有した部位を利用して、比較的緩やかに第１電線Ｗ１を屈曲させることができる。屈曲後、作業者は、第１電線Ｗ１を電線出口部２０に載置する。
【００２７】
なお、ポケット部３４は平面視して略Ｕ字形状とされていることから、第１電線Ｗ１の屈曲に沿う形状となっており、ポケット部３４を矩形状に形成した場合と比較すると図４に示すデッドスペースＤＳ１，ＤＳ２を無くすことができる。
【００２８】
さらに、屈曲最奥壁３３（特に第２屈曲最奥壁３３ｂ）の長さＬ３は、第１電線Ｗ１の直径Ｄ以上とされているため、第１壁３１と第２壁３２との狭い隙間（第２屈曲最奥壁３３ｂの近傍部分の隙間）に第１電線Ｗ１が引っ掛かってしまい、ポケット部３４に第１電線Ｗ１を挿入し難くなってしまうことを防止することとなる。
【００２９】
次に、作業者は、第２電線Ｗ２を第１電線Ｗ１上に載置すると共に、切欠部３５上にも載置する。ここで、切欠部３５は、電線入口部１０の高さ位置に対して第１電線Ｗ１の直径Ｄを加算した高さ以下に切り欠かれているため、第２電線Ｗ２について高さ方向に直線状に配置した場合に第２壁３２が障害とならず、第２電線Ｗ２を２次元的に配索することができる。詳細に説明すると、第２壁３２が第１壁３１程度の高さを有する場合、第２電線Ｗ２の配索方向は上方向に限定され、例えば一側から他側に向かう方向に第２電線Ｗ２を配索したい場合には、一度上方向に屈曲させた第２電線Ｗ２を再度他側に向けて折り曲げる必要があり、配索作業性が悪化してしまう。しかし、第２壁３２が上記切欠部３５を有するため、配索作業性の向上を図ることができる。
【００３０】
このようにして、本実施形態に係る屈曲プロテクタ１によれば、ポケット部３４は内部空間ＩＳに第１壁３１と第２壁３２との間の距離Ｌ１よりも長い距離Ｌ２を有した部位を有しているため、電線入口部１０から導入された第１電線Ｗ１は第１壁３１と第２壁３２との間の狭い空間で屈曲させる必要がなく、ポケット部３４における内部空間ＩＳにおいて緩やかに屈曲させることが可能となる。よって、過度な屈曲を行う必要がなく第１電線Ｗ１の屈曲収納を比較的容易に行えることから、第１電線Ｗ１を屈曲状態で収納させることについて作業性の低下を抑制することができる。
【００３１】
また、ポケット部３４は、平面視して略Ｕ字形状となっているため、平面視して矩形状となっている場合と比較すると、第１電線Ｗ１を緩やかに屈曲させたときのデッドスペースＤＳ１，ＤＳ２をなくし、より小型且つ軽量化を図った屈曲プロテクタ１を提供することができる。
【００３２】
また、第２壁３２は電線入口部１０の高さ位置に対して屈曲保持される対象となる第１電線Ｗ１の直径Ｄを加算した高さ以下に切り欠かれた切欠部３５を有するため、屈曲保持される第１電線Ｗ１の上に載置した状態で第２電線Ｗ２を屈曲プロテクタ１に保持する場合において、電線入口部１０から切欠部３５まで２次元的（平面的であって高さ方向の変位が少ないこと）に配索することができ、第２電線Ｗ２を保持する場合における配索性を向上させることができる。
【００３３】
また、屈曲最奥壁３３（特に第２屈曲最奥壁３３ｂ）の長さＬ３は屈曲保持される対象となる第１電線Ｗ１の直径Ｄ以上とされているため、例えば、第２屈曲最奥壁３３ｂの長さＬ２が第１電線Ｗ１の直径Ｄ未満とされて、第１壁３１と第２壁３２との狭い隙間に第１電線Ｗ１が引っ掛かってしまい、ポケット部３４に挿入し難くなってしまう事態を防止することができる。
【００３４】
以上、実施形態に基づき本発明を説明したが、本発明は上記実施形態に限られるものではなく、本発明の趣旨を逸脱しない範囲で、変更を加えてもよいし、周知及び公知の技術を組み合わせてもよい。
【００３５】
例えば、本実施形態において屈曲プロテクタ１は、第１壁３１及び第２壁３２が下方向に延出してポケット部３４を形成しているが、これに限らず、延出方向は上方向であってもよいし、上記した平面視の方向であってもよい。すなわち、延出方向は、一側から他側に向かう方向に交差する方向であれば、特にその方向を問うものではない。
【００３６】
また、本実施形態においてポケット部３４の距離Ｌ２は一側から他側に向かう方向に延びたものであるが、これに限らず、ポケット部３４は他の方向に長い距離Ｌ２を有した部位を内部空間ＩＳに備えていてもよい。
【符号の説明】
【００３７】
１      ：屈曲プロテクタ
１０    ：電線入口部
２０    ：電線出口部
３０    ：屈曲保持部
３１    ：第１壁
３２    ：第２壁
３４    ：ポケット部
３５    ：切欠部
ＩＳ    ：内部空間
【図１】
2019213363.tif 000003
【図２】
2019213363.tif 000004
【図３】
2019213363.tif 000005
【図４】
2019213363.tif 000006